(57)【要約】【課題】故障箇所の切り分けのために、実際には故障が発生していないにも関わらず基板の抜去（または電源ＯＦＦ）を行い、故障が発生していない基板が実装している通信サービスが断になってしまうという問題がある。【解決手段】この発明の通信装置１０は、通信サービスの断を発生させないために、基板間インタフェース用のドライバＩＣ部３のみを、他のブロック（他機能部６）の電源とは分離して別のドライバ用電源部４を備える。さらに、ドライバ用スイッチ部５をドライバ用電源部４に電気的に接続する。故障が発生しなくなるまで、複数の基板のドライバ用スイッチ部５を順次ＯＦＦにしてドライバ用電源部４からドライバＩＣ部３に供給される電力を停止させる。故障が発見できなくなった直前にドライバ用スイッチ部５をＯＦＦにした基板を故障の発生している基板と特定する。【選択図】        図１
2004187190.tif 000002
【特許請求の範囲】
【請求項１】
バスによって接続された複数の基板を有する通信装置において、
上記複数の基板のそれぞれは、
上記バスを接続して別の基板とのインタフェースを司るドライバＩＣ（Ｉｎｔｅｇｒａｔｅｄ  Ｃｉｒｃｕｉｔ）部と、
上記ドライバＩＣ部と電気的に接続されて上記ドライバＩＣ部に対して電力を供給するドライバ用電源とを備え、
上記通信装置は、上記複数の基板のそれぞれのドライバ用電源と電気的に接続され、上記ドライバ用電源から上記ドライバＩＣ部に供給される電力のＯＮとＯＦＦとを切り替えて、上記複数の基板のうちいずれかの基板のドライバＩＣ部に故障が発生した場合に故障の発生している基板の検出を可能にするためのドライバ用スイッチ部を備えた
ことを特徴とする通信装置。
【請求項２】
バスによって接続された１つのマスタ基板と複数のスレーブ基板とを有する通信装置において、
上記複数のスレーブ基板のそれぞれは、
上記バスを接続して別のスレーブ基板とのインタフェースを司るドライバＩＣ（Ｉｎｔｅｇｒａｔｅｄ  Ｃｉｒｃｕｉｔ）部と、
上記ドライバＩＣ部に電力を供給するドライバ用電源とを備え、
上記マスタ基板は、
上記複数のスレーブ基板のうちいずれかのスレーブ基板のドライバＩＣ部に故障が発生したことを検出する故障検出部と、
上記故障検出部により故障が検出された場合、上記複数のスレーブ基板のうち所定のスレーブ基板のドライバ用電源をＯＦＦに切り替える電源切替信号を生成して、生成した電源切替信号を所定のスレーブ基板に対して出力する信号生成部と、
上記信号生成部から電源切替信号を出力した後、上記故障検出部によって故障が発生しているか否かを検出することにより、故障の発生しているスレーブ基板を特定する故障特定部と
を備えたことを特徴とする通信装置。
【請求項３】
バスによって接続された複数の基板を有する通信装置において、
上記複数の基板のそれぞれは、
上記バスを接続して別の基板とのインタフェースを司るドライバＩＣ（Ｉｎｔｅｇｒａｔｅｄ  Ｃｉｒｃｕｉｔ）部と、
上記ドライバＩＣ部と電気的に接続されて上記ドライバＩＣ部に対して上記基板の外部から供給される電力のＯＮとＯＦＦとを制御する電源制御部とを備え、
上記通信装置は、上記複数の基板のそれぞれの電源制御部と電気的に接続され、上記ドライバＩＣ部に供給される電力のＯＮとＯＦＦとを制御して、上記複数の基板のうちいずれかの基板のドライバＩＣ部に故障が発生した場合に故障の発生している基板の検出を可能にするための電源制御スイッチ部を備えた
ことを特徴とする通信装置。
【請求項４】
バスによって接続された１つのマスタ基板と複数のスレーブ基板とを有する通信装置において、
上記複数のスレーブ基板のそれぞれは、
上記バスを接続して別のスレーブ基板とのインタフェースを司るドライバＩＣ（Ｉｎｔｅｇｒａｔｅｄ  Ｃｉｒｃｕｉｔ）部と、
上記ドライバＩＣ部と電気的に接続されて上記ドライバＩＣ部へ上記基板の外部から供給される電力のＯＮとＯＦＦとを制御する電源制御部とを備え、
上記マスタ基板は、
上記複数のスレーブ基板のうちいずれかのスレーブ基板のドライバＩＣ部に故障が発生したことを検出する故障検出部と、
上記故障検出部により故障が検出された場合、上記複数のスレーブ基板のうち所定のスレーブ基板の電源制御部をＯＦＦに制御する電源切替信号を生成して、生成した電源切替信号を所定のスレーブ基板に対して出力する信号生成部と、
上記信号生成部から電源切替信号を出力した後、上記故障検出部によって故障が発生しているか否かを検出することにより故障の発生しているスレーブ基板を特定する故障特定部と
を備えたことを特徴とする通信装置。
【発明の詳細な説明】
【０００１】
【発明の属する技術分野】
バスによって接続された複数の基板を有する通信装置において、通信装置の複数の基板のうちいずれかの基板に故障が発生した場合に、通信装置により実行される機能の一部を停止させることなく、故障の発生している基板を特定する通信装置に関する。特に、別の基板とのインタフェースを司るドライバＩＣ部に故障が発生している基板を特定することに関する。
【０００２】
【従来の技術】
従来から通信装置では、装置内での監視機能や制御機能を実現する目的で、マスタとなる基板とスレーブとなる基板とを共通バスによって接続するバス構成を適用する場合がある。バス構成は拡張性などの点では非常に有利な方法であるが、それぞれの基板に備えられた基板間のインタフェースを司るドライバＩＣ部でバスの共通部側に影響を与えるモードで故障が発生した場合、ロジカルなシーケンスでは、いずれかの基板で故障が発生したことを確認することはできる。しかし、実際に故障が発生した基板を特定することはできない。例えば、ＰＣＩバスではパリティによるバスの故障監視により、いずれかの基板で故障が発生したことを検出することは可能であるが、実際の故障基板を特定できるわけではない。実際に故障が発生した基板を特定するためには、バスに接続されている基板を順に抜去、または電源をＯＦＦにするといった手順を行わなければならない。
【０００３】
【発明が解決しようとする課題】
しかしながら、バスに接続されている基板を順に抜去、または電源をＯＦＦにするといった手順を行うと、実際には故障が発生していない基板の抜去（または電源ＯＦＦ）を行ってしまう場合があった。
通信装置では、例えば、これらの基板には通信サービスを実現するための機能を実装しているため、基板の抜去（または電源ＯＦＦ）を行うと、当該基板が実装している通信サービスが断になってしまう。バスに接続されている基板を順に抜去、または電源をＯＦＦにするといった手順を、故障の発生している基板を特定できるまで行うと、故障でない基板を抜去、または電源をＯＦＦにする場合があるので、故障の発生している基板を特定できる前に、通信サービスの断が発生することとなる。
従って、故障の発生している基板を特定するために通信サービスの断を行うためには、通信量の少ない深夜帯や、あらかじめ迂回経路を設定してから実施する必要があり、作業の実施は非常に困難である。
【０００４】
【特許文献１】
特開平０５−０３０１２８号公報
【０００５】
このため、本発明は、通信装置の有する複数の基板のうちいずれかの基板に故障が発生した場合に、基板の有する機能の一部、例えば、通信サービスの断を発生させずに故障の発生している基板を特定することを目的とする。
【０００６】
【課題を解決するための手段】
この発明に係る通信装置は、バスによって接続された複数の基板を有する通信装置において、
上記複数の基板のそれぞれは、
上記バスを接続して別の基板とのインタフェースを司るドライバＩＣ（Ｉｎｔｅｇｒａｔｅｄ  Ｃｉｒｃｕｉｔ）部と、
上記ドライバＩＣ部と電気的に接続されて上記ドライバＩＣ部に対して電力を供給するドライバ用電源とを備え、
上記通信装置は、上記複数の基板のそれぞれのドライバ用電源と電気的に接続され、上記ドライバ用電源から上記ドライバＩＣ部に供給される電力のＯＮとＯＦＦとを切り替えて、上記複数の基板のうちいずれかの基板のドライバＩＣ部に故障が発生した場合に故障の発生している基板の検出を可能にするためのドライバ用スイッチ部を備えた
ことを特徴とする。
【０００７】
【発明の実施の形態】
実施の形態１．
この実施の形態では、ドライバＩＣ部のみに電源を供給するドライバ用電源を備えた通信装置の一例を説明する。
図１は、この実施の形態のバスによって接続された基板を有する通信装置の構成図である。図１において、通信装置１０は、基板＃０〜基板＃ｎの複数の基板２をバス１によって接続している。基板＃０〜基板＃ｎの内部構成は、全て同じであるものとし、一例として基板＃ｎ−１の内部構成を示す。基板２は、他の基板とのインタフェースを司るドライバＩＣ部３と、ドライバＩＣ部３を電気的に接続してドライバＩＣ部３に電力を供給するドライバ用電源部４と、他の基板とのインタフェース以外の機能を実行する他機能部６と、他機能部６を電気的に接続して他機能部６に電力を供給する他機能用電源部７と、を備える。バス１は共通バスであり、ドライバＩＣ部３は、共通バスに接続されている。ドライバ用スイッチ部５は、ドライバ用電源部４を電気的に接続して、ドライバ用電源部４からドライバＩＣ部３に対する電力の供給のＯＮ／ＯＦＦを制御する。ドライバ用スイッチ部５は、操作者が操作しやすいように、通信装置１０の外側に設けられる。
図１に示したように、この実施の形態の通信装置１０の特徴は、基板間インタフェース用のドライバＩＣ部３の電源（ドライバ用電源部４）を他のブロック（他機能部６）の電源（他機能用電源部７）とは分離して、別の電源として構成する。ドライバ用電源部４は、通信装置１０の主電源スイッチのＯＮ／ＯＦＦに連動して、ＯＮ／ＯＦＦになる。さらに、ドライバ用電源部４は、ドライバ用スイッチ部５の操作によってもＯＮ／ＯＦＦが可能である。一方、他機能用電源部７は、通信装置の主電源スイッチのＯＮ／ＯＦＦに連動して、他機能用電源部７がＯＮ／ＯＦＦする。
【０００８】
次に、いずれかの基板に故障が発生し、故障の発生した基板を特定する動作を説明する。
ここでは、基板＃ｎ−１で基板間インタフェース用のドライバＩＣ部３でバス１の共通部側に影響を与えるモードで故障が発生するものとする。
故障の発生箇所を特定するために、保守者は、基板＃０から順に、ドライバ用スイッチ部５のスイッチ操作によりドライバ用電源部４から各基板のドライバＩＣ部３への電力の供給をＯＦＦにする。ＯＦＦにするということは、ドライバＩＣ部３を通信装置１０から切り離すことである。ドライバＩＣ部３を通信装置１０から切り離した結果、通信装置１０に故障が発生していれば、切り離したドライバＩＣ部３には故障が発生していないものと保守者は判断できる。逆に、通信装置１０に故障が発生していなければ、切り離したドライバＩＣ部３には故障が発生しているものと保守者は判断できる。保守者は、ドライバＩＣ部３に故障が発生していないことを判断した後、ＯＦＦにしたドライバ用スイッチ部５をＯＮに切り替えても、ＯＦＦのまま次の操作に移ってもよい。これらの動作を故障の発生している基板を特定するまで繰り返し行う。
なお、ＯＦＦにしたドライバ用スイッチ部５をＯＦＦからＯＮに切り替えた場合、その基板は通常の動作に復帰する機能を有するものとする。
ここでは、基板＃ｎ−１に故障が発生しているので、ｎ−１回目（この例では、「０」からカウントしている）の上記動作を行っている際にドライバ用スイッチ部５をＯＦＦにすると、通信装置は故障を発生しなくなる。このため、保守者は、基板＃ｎ−１に故障が発生していることを判断できる。
上記した動作により、実際の故障基板を特定することができる。
この一連の動作時に、他機能部６が実行する機能、例えば、通信サービスは他機能用電源部７から電力の供給を停止されることはないので、通信サービスは停止しない。
【０００９】
例えば、従来の通信装置は、ドライバ用電源部を備えていないとともにドライバ用スイッチ部も備えていない。このため、故障が発生しているのは基板＃ｎ−１であるが、これを特定するためには、基板＃０から順に基板の抜去（または電源ＯＦＦ）を行い、ｎ−１回目（この例では、「０」からカウントしている）になって始めて通信装置は故障から復旧するので、基板＃１から＃ｎ−２までは、実際には故障が発生していないにも関わらず、基板の抜去（または電源ＯＦＦ）を行う必要があった。基板には他機能の一例として通信サービスを実現するための機能を実装しているため、基板の抜去（または電源ＯＦＦ）を行うと、抜去した基板が実装している通信サービスが断になってしまう。このため、基板＃０から＃ｎ−２には、故障でないにも関わらず通信サービスの断が発生することとなる。
【００１０】
一方、図１に示す通信装置１０では、上記したようにドライバＩＣ部３には専用のドライバ用電源部４を設け、他のブロック（他機能部６）の他機能用電源部７とは分離して別の電源とする。そして、保守者のドライバ用スイッチ部５のスイッチ操作などによりドライバＩＣ部３のドライバ用電源部４のみをＯＦＦとすることで、故障基板を特定することができる。このため、通信サービスの断が発生しない通信装置を実現できる。
【００１１】
以上のように、装置内監視用や制御用の目的で基板間でバス構成を適用する通信装置では従来、基板間インタフェース用のドライバＩＣ部の故障を特定する場合に、基板の抜去や基板自体の電源を断とするためサービスが停止してしまう場合がある。しかし、この実施の形態の通信装置は、サービスを停止させないために、ドライバＩＣ部の電源のみを、他のブロックの電源とは分離して別の電源とする。そして、保守者のスイッチ操作などによりドライバＩＣ部の電源のみをＯＦＦとすることで、故障基板を特定することができる。
【００１２】
この実施の形態では、バスによって接続された複数の基板を有する通信装置であって、上記複数の基板のそれぞれは、上記バスを接続して別の基板とのインタフェースを司るドライバＩＣ（Ｉｎｔｅｇｒａｔｅｄ  Ｃｉｒｃｕｉｔ）部と、上記ドライバＩＣ部と電気的に接続されて上記ドライバＩＣ部に対して電力を供給するドライバ用電源とを備え、上記通信装置は、上記複数の基板のそれぞれのドライバ用電源と電気的に接続され、上記ドライバ用電源から上記ドライバＩＣ部に供給される電力のＯＮとＯＦＦとを切り替えて、上記複数の基板のうちいずれかの基板のドライバＩＣ部に故障が発生した場合に故障の発生している基板の検出を可能にするためのドライバ用スイッチ部を備えたことを特徴とする通信装置の一例を説明した。
【００１３】
実施の形態２．
この実施の形態では、実施の形態１の図１における基板＃０から基板＃ｎをそれぞれ以下のようにマスタ基板とスレーブ基板とのいずれかに設定してバス１に接続する。
図２は、この実施の形態のバスによって接続された複数の基板を有する通信装置の構成図である。図２において、基板＃０はマスタ基板２０、基板２（基板＃１〜基板＃ｎ）はスレーブ基板として、バス１によってマスタ基板とスレーブ基板とを図２のように接続する。基板２の基本的な構造は上記実施の形態１の図１と同様とするが、ドライバ用電源部４にはドライバ用スイッチ部を備えていない点で図１と異なる。基板２０は、通信サービス機能は実装せずに、通信サービス機能を実装する基板＃１〜＃ｎの動作状態を監視する機能や、基板＃１〜＃ｎの動作に必要な設定制御機能などを実装する。基板２０は、スレーブ基板である基板２（基板＃１〜基板＃ｎ）を監視して、いずれかのスレーブ基板に故障が発生した場合に、故障の発生した基板を特定するため、故障検出部２１，信号生成部２２，故障特定部２３を備える。
故障検出部２１は、スレーブ基板である基板＃１〜基板＃ｎの動作を監視していずれかの基板のドライバＩＣ部３に故障が発生したことを検出する。検出方法は、従来から行われている方法によって検出するものとし、詳細な説明は省略する。
信号生成部２２は、故障検出部２１により故障を検出された場合に、ドライバ用電源部４に対してドライバＩＣ部３への電力の供給を停止（ＯＦＦ）させる電源切替信号を生成して、生成した電源切替信号を複数のスレーブ基板の基板＃１から＃ｎの順に送信して、ドライバＩＣ部３への電力の供給を停止（ＯＦＦ）させる。このため、バスのマスタ基板２０（基板＃０）とその他のスレーブ基板２（基板＃１〜＃ｎ）との間に、マスタ基板２０から各スレーブ基板２毎に、基板間インタフェース用のドライバＩＣ部３への電力の供給をＯＦＦする制御を行う電源切替信号として、個別の制御信号などを設ける。
故障特定部２３は、信号生成部２２より基板＃１から基板＃ｎのいずれかに対して電源切替信号を送信した後、故障検出部２１によって基板＃１から基板＃ｎのいずれかに故障が発生していることを検出されるか否かを監視して、故障が発生していないことを確認できた場合に、直前に電源切替信号を送信した基板を故障の発生している基板として特定する。
【００１４】
次に、故障の発生した基板を特定する動作を説明する。ここでは、実施の形態１と同様に基板＃ｎ−１でドライバＩＣ部３でバス１の共通部側に影響を与えるモードで故障が発生するものとする。
マスタ基板２０の故障検出部２１は、ドライバＩＣ部３でバスの共通部側に影響を与えるモードで故障が発生したことを検出すると、故障を検出したことを信号生成部２２に通知する。信号生成部２２は、故障検出部２１より故障を検出した通知を受信すると、基板＃１〜基板＃ｎのうち所定の基板のドライバ用電源部４に対して電力の供給を停止させるための電源切替信号を生成する。ここでは、基板＃１から基板＃ｎの順に電源切替信号を送信する。故障検出部２１は、故障を発見した後も基板＃１から基板＃ｎの動作状態を監視する。このため、ドライバＩＣ部３に故障が発生している基板のドライバ用電源部４からの電力の供給を停止すると、その基板のドライバＩＣ部３は通信装置１０から切り離されることになる。
この結果、故障検出部２１によって故障が検出されなくなる。故障特定部２３は、電源切替信号を信号生成部２２が出力した後、故障検出部２１によって故障が検出されなくなった時に、検出されなくなった直前に電力の供給を停止されたドライバ用電源部４を備える基板を、ドライバＩＣ部３に故障が発生している基板として特定する。また、ドライバ用電源部４の電力の供給を停止した後、故障検出部２１によって引き続き故障の検出がされていると、信号生成部２２は、停止した電力の供給を再度開始するための電源切替信号を生成し、ドライバ用電源部４に送信する。ドライバ用電源部４は、電力の供給を再度開始するための電源切替信号を受信すると、電力の供給を開始する。また、ドライバＩＣ部３は、電力の供給が再会されると通常の動作状態に戻るものとする。
ここでは、基板＃ｎ−１のドライバＩＣ部３に故障が発生していた。このため、基板＃１から基板＃ｎ−２までは、ドライバ用電源部４の電力供給を停止されても、故障検出部２１は、故障の発生を検出し続ける。基板＃ｎ−１のドライバ用電源部４の電力供給を停止されて初めて、故障検出部２１は、故障を検出しなくなる。このため、故障特定部２３は、基板＃ｎ−１のドライバＩＣ部３に故障が発生していることを特定する。
なお、他機能部６は、他機能用電源部７から電力を供給され、他機能用電源部７は、マスタ基板２０より電力の供給のＯＮ／ＯＦＦを制御されない。このため、他機能部は他機能用電源部７から電力の供給を受け続けるので、他機能、例えば、通信サービスを停止されることがない。
【００１５】
また、マスタ基板２０は故障の発生している基板を特定できた場合に、その基板を保守者に通知する機能を有する。例えば、表示部に故障の発生している基板の識別情報を表示したり、故障の発生している基板に対して、ランプを点灯させたり、点滅させたり、ブザーを鳴らすなどの制御を行う。
【００１６】
この結果、実施の形態２では、保守者の介在なく自動で、基板＃１から順に、各基板のドライバＩＣ部の電源のＯＦＦ制御を行い、復旧しなければＯＮ制御を行うという動作を順に行い、実施の形態１と同様に故障基板を特定することが可能となる。
特に、バスのマスタとなる基板から遠隔制御で、当該ドライバＩＣ部の電力のみをＯＦＦとする機能を付加することで、保守者の介在なく自動で故障箇所を特定することができる。
【００１７】
この実施の形態２では、バスによって接続された１つのマスタ基板と複数のスレーブ基板とを有する通信装置であって、上記複数のスレーブ基板のそれぞれは、
上記バスを接続して別のスレーブ基板とのインタフェースを司るドライバＩＣ（Ｉｎｔｅｇｒａｔｅｄ  Ｃｉｒｃｕｉｔ）部と、上記ドライバＩＣ部に電力を供給するドライバ用電源とを備え、上記マスタ基板は、上記複数のスレーブ基板のうちいずれかのスレーブ基板のドライバＩＣ部に故障が発生したことを検出する故障検出部と、上記故障検出部により故障が検出された場合、上記複数のスレーブ基板のうち所定のスレーブ基板のドライバ用電源をＯＦＦに切り替える電源切替信号を生成して、生成した電源切替信号を所定のスレーブ基板に対して出力する信号生成部と、上記信号生成部から電源切替信号を出力した後、上記故障検出部によって故障が発生しているか否かを検出することにより、故障の発生しているスレーブ基板を特定する故障特定部とを備えたことを特徴とする通信装置の一例を説明した。
【００１８】
実施の形態３．
この実施の形態では、ドライバＩＣ部と電気的に接続され、基板の外部からドライバＩＣ部に供給される電力のＯＮとＯＦＦとを制御する電源制御部を備える基板によって構成される通信装置の一例を説明する。
図３は、実施の形態３の通信措置の構成図である。図３の通信装置１０は図１の通信装置と基本的には同じである。しかし、図３の基板２は、基板の外部から電力を供給され、供給される電力のＯＮとＯＦＦとを制御する電源制御部８を備えた点で、図１と異なる。さらに、通信装置は、電源制御部８と電気的に接続されて、電源制御部をＯＮとＯＦＦとのいずれかに制御する電源制御スイッチ部９を備えた点で、図１と異なる。電源制御部８は、電源制御スイッチ部９をＯＮされるとドライバＩＣ部３への電力の供給をＯＦＦするように動作する。逆に、電源制御スイッチ部９をＯＦＦされるとドライバＩＣ部３への電力の供給をＯＮするように動作する。
【００１９】
いずれかの基板に故障が発生し、故障の発生した基板を特定する動作は、上記実施の形態１と同様であるが、保守者は、ドライバ用スイッチ部５ではなく電源制御スイッチ部９を操作する。また、電源制御スイッチ部９を操作することによって、ドライバ用電源部４ではなく電源制御部８をＯＮ／ＯＦＦのいずれかに制御する。電源制御スイッチ部９をＯＮにすることによって、電源制御部８をＯＦＦに制御する。電源制御部８は、ＯＦＦに制御されると基板２の外部からドライバＩＣ部３に供給される電力がＯＦＦにされる。電力の供給がＯＦＦされるということは、その基板２のドライバＩＣ部３は通信装置１０から切り離されることになる。このため、電力の供給がＯＦＦにされたドライバＩＣ部３に故障が発生していると、その基板２のドライバＩＣ部３は通信装置１０から切り離されたことになるため、保守者は、故障を検出しなくなる。このため、保守者は、故障を検出しなくなった直前に電力の供給をＯＦＦされたドライバＩＣ部３を備える基板に故障が発生していることを特定できる。また、電源制御部８は、ドライバＩＣ部３のみ電力の供給をＯＦＦし、他機能部６には基板２の外部より電力が変わりなく供給されるので、通信サービスは中断されずに続けることができる。
【００２０】
このように、電源制御部と電源制御スイッチ部とを備えることによっても、通信サービスを停止されることなく、ドライバＩＣ部に故障の発生している基板を複数の基板の中から特定することができる。
【００２１】
この実施の形態３では、バスによって接続された複数の基板を有する通信装置であって、上記複数の基板のそれぞれは、上記バスを接続して別の基板とのインタフェースを司るドライバＩＣ（Ｉｎｔｅｇｒａｔｅｄ  Ｃｉｒｃｕｉｔ）部と、上記ドライバＩＣ部と電気的に接続されて上記ドライバＩＣ部に対して上記基板の外部から供給される電力のＯＮとＯＦＦとを制御する電源制御部とを備え、上記通信装置は、上記複数の基板のそれぞれの電源制御部と電気的に接続され、上記ドライバＩＣ部に供給される電力のＯＮとＯＦＦとを制御して、上記複数の基板のうちいずれかの基板のドライバＩＣ部に故障が発生した場合に故障の発生している基板の検出を可能にするための電源制御スイッチ部を備えたことを特徴とする通信装置の一例を説明した。
【００２２】
実施の形態４．
この実施の形態では、ドライバＩＣ部と電気的に接続され、基板の外部からドライバＩＣ部に供給される電力のＯＮとＯＦＦとを制御する電源制御部を備えるスレーブ基板によって構成される通信装置の一例を説明する。
図４は、実施の形態４の通信措置の構成図である。図４の通信装置１０は図２の通信装置と基本的には同じである。しかし、図４の（スレーブ）基板２は、基板の外部から電力を供給され、ドライバＩＣ部３に供給される電力のＯＮとＯＦＦとを制御する電源制御部８を備えた点で、図２と異なる。また、マスタ基板２０の信号生成部２２は、生成した電源切替信号を電源制御部８に送る。
【００２３】
いずれかの基板に故障が発生し、故障の発生した基板を特定する動作は、上記実施の形態２と同様であるが、マスタ基板２０は、ドライバ用電源部４ではなく電源制御部８を制御する。また、電源制御部８をＯＦＦに制御することによって、基板２の外側からドライバＩＣ部３に対する電力の供給を停止させる。電力の供給がＯＦＦされるということは、その基板２のドライバＩＣ部３は通信装置１０から切り離されることになる。このため、電力の供給がＯＦＦにされたドライバＩＣ部３に故障が発生していると、マスタ基板２０の故障検出部２１は、故障を検出しなくなる。この結果、故障特定部２３は、故障を検出しなくなった直前に電力の供給をＯＦＦされたドライバＩＣ部３を備える基板に故障が発生していることを特定できる。また、電源制御部８は、ドライバＩＣ部３のみ電力の供給をＯＦＦし、他機能部６には基板２の外部より電力が変わりなく供給されるので、通信サービスは中断されずに続けることができる。
【００２４】
このように、電源制御部を備えることによっても、通信サービスを停止されることなく、ドライバＩＣ部に故障の発生している基板を複数の基板の中から特定することができる。
また、マスタ基板から遠隔制御で、ドライバＩＣ部の電力のみをＯＦＦとすることで、保守者の介在なしで自動で故障の発生している基板を特定できる。
【００２５】
この実施の形態では、バスによって接続された１つのマスタ基板と複数のスレーブ基板とを有する通信装置であって、上記複数のスレーブ基板のそれぞれは、上記バスを接続して別のスレーブ基板とのインタフェースを司るドライバＩＣ（Ｉｎｔｅｇｒａｔｅｄ  Ｃｉｒｃｕｉｔ）部と、上記ドライバＩＣ部と電気的に接続されて上記ドライバＩＣ部へ上記基板の外部から供給される電力のＯＮとＯＦＦとを制御する電源制御部とを備え、上記マスタ基板は、上記複数のスレーブ基板のうちいずれかのスレーブ基板のドライバＩＣ部に故障が発生したことを検出する故障検出部と、上記故障検出部により故障が検出された場合、上記複数のスレーブ基板のうち所定のスレーブ基板の電源制御部をＯＦＦに制御する電源切替信号を生成して、生成した電源切替信号を所定のスレーブ基板に対して出力する信号生成部と、上記信号生成部から電源切替信号を出力した後、上記故障検出部によって故障が発生しているか否かを検出することにより故障の発生しているスレーブ基板を特定する故障特定部とを備えたことを特徴とする通信装置の一例を説明した。
【００２６】
【発明の効果】
以上のように、この発明の通信装置は、複数の基板のいずれかの基板に故障が発生した場合に、通信装置が提供する通信サービスの機能を停止させることなく、故障の発生している基板を特定することが可能である。このため、従来故障の発生している基板を特定するための深夜帯での作業や迂回経路の設定作業などを行わなくてすむようになる。従って、保守費用を安価に行うことができる効果がある。
また、通信サービスの断をともなわずに故障基板を特定出来るため、短時間に復旧させることができる。このため、可用性の高いシステムを構築できる効果がある。
【図面の簡単な説明】
【図１】実施の形態１の通信装置の一例を示す構成図である。
【図２】実施の形態２の通信装置の一例を示す構成図である。
【図３】実施の形態３の通信装置の一例を示す構成図である。
【図４】実施の形態４の通信装置の一例を示す構成図である。
【符号の説明】
１  バス、２  基板、３  ドライバＩＣ部、４  ドライバ用電源部、５  ドライバ用スイッチ、６  他機能部、７  他機能用電源部、８  電源制御部、９  電源制御スイッチ部、１０  通信装置、２０  マスタ基板、２１  故障検出部、２２  信号生成部、２３  故障特定部。
【図１】
2004187190.tif 000003
【図２】
2004187190.tif 000004
【図３】
2004187190.tif 000005
【図４】
2004187190.tif 000006